(57)【要約】【課題】  移動時における挿入部の乱れを確実に抑えられるようにして、取り扱いの容易な携帯型内視鏡を提供する。【解決手段】  内視対象に挿入される長尺な挿入部４と、この挿入部４の付根部に設けられ作業者が把持状態で各種の操作を行なう手元操作部３と、この手元操作部３にケーブル２によって接続され電源及び制御機器を内蔵する装置本体部１と、を備えた携帯型内視鏡装置において、手元操作部３や装置本体部１等にベルト９を取り付ける。ベルト９で挿入部４を束ね、手元操作部３や装置本体部１等に仮固定する。【選択図】  図１
2005270468.tif 000002
【特許請求の範囲】
【請求項１】
内視対象に挿入される長尺な挿入部と、この挿入部の付根部に設けられ作業者が把持状態で各種の操作を行なう手元操作部と、この手元操作部にケーブルによって接続され電源及び制御機器を内蔵する装置本体部と、を備えた携帯型内視鏡装置において、
把持または身体装着される部材に、挿入部を束ねて固定する帯状拘束具を設けたことを特徴とする携帯型内視鏡装置。
【請求項２】
前記帯状拘束具をベルクロ（Ｒ）式のベルトで構成したことを特徴とする請求項１に記載の携帯型内視鏡装置。
【請求項３】
前記帯状拘束具を手元操作部に設け、その手元操作部と装置本体部の間に、両者を脱着可能に係止する係止構造を設けたことを特徴とする請求項１または２に記載の携帯型内視鏡装置。
【請求項４】
前記帯状拘束具を手元操作部に設け、手元操作部と装置本体部を接続するケーブルを帯状拘束具によって挿入部と共に巻付け固定したことを特徴とする請求項１〜３のいずれかに記載の携帯型内視鏡装置。
【発明の詳細な説明】
【技術分野】
【０００１】
この発明は、作業者が身体に装着して持ち運ぶことのできる携帯型内視鏡装置に関するものである。
【背景技術】
【０００２】
この種の携帯型内視鏡装置として、例えば、特許文献１に記載されるようなものが案出されている。
【０００３】
この内視鏡装置は、電源や制御機器等を内蔵する装置本体部にケーブルを介して手元操作部が接続され、その手元操作部に、先端部に観察用の光学系と照明手段等を備えた長尺な挿入部が延設されている。そして、装置本体部はコンパクトに形成され、肩掛けベルトやウエストバンド等によって身体に装着支持されるようになっている。また、この内視鏡装置の場合、装置本体部を身体に装着したときには、挿入部を束ね、その束を手元操作部と共に手で持ちそのまま移動する。
【特許文献１】特開２００４−２４４２４号公報
【発明の開示】
【発明が解決しようとする課題】
【０００４】
しかし、この従来の携帯型内視鏡装置は、装置本体部を身体に装着して移動するときに挿入部を束ね、その束の拡がりや乱れを手で押さえ込んで手元操作部を把持しなければならないため、移動時における扱いが難しいという不具体がある。
【０００５】
そこでこの発明は、移動時における挿入部の乱れを確実に抑えられるようにして、取り扱いの容易な携帯型内視鏡装置を提供しようとするものである。
【課題を解決するための手段】
【０００６】
上記目的を達成するために、この発明は、内視対象に挿入される長尺な挿入部と、この挿入部の付根部に設けられ作業者が把持状態で各種の操作を行なう手元操作部と、この手元操作部にケーブルによって接続され電源及び制御機器を内蔵する装置本体部と、を備えた携帯型内視鏡装置において、把持または身体装着される部材に、挿入部を束ねて固定する帯状拘束具を設けるようにした。
【０００７】
この発明の場合、帯状拘束具によって挿入部を束ねて固定することにより、把持または身体装着される部材に挿入部を束の状態で保持させることが可能となる。
【０００８】
前記帯状拘束具はベルクロ（Ｒ）式のベルトで構成することが好ましく、このように構成した場合には、挿入部の束ね状態等に応じて帯状拘束具の締め込み具合を無段階に調整することが可能となる。
【０００９】
また、前記帯状拘束具を手元操作部に設け、その手元操作部と装置本体部の間に、両者を脱着可能に係止する係止構造を設けるようにしても良い。この場合、帯状拘束具で挿入部を束ねて手元操作部に係止させ、その状態で手元操作部を装置本体部に係止させることができる。
【００１０】
また、前記帯状拘束具を手元操作部の把持部に設け、手元操作部と装置本体部を接続するケーブルを帯状拘束具によって挿入部と共に巻付け固定するようにしても良い。このようにした場合、束にした挿入部が帯状拘束具によって手元操作部のケーブル部分に強力に拘束され、挿入部のブラ付きが抑制される。
【発明の効果】
【００１１】
この発明の場合、帯状拘束具によって挿入部を束の状態で把持または身体装着される部材に保持させることができるため、移動時における挿入部の乱れを確実に抑え、移動時の取り扱いを容易にすることができる。
【発明を実施するための最良の形態】
【００１２】
次に、この発明の各実施形態を図面に基づいて説明する。尚、各実施形態については、同一部分に同一符号を付し、重複する部分については説明を省略するものとする。
【００１３】
最初に、図１〜図２に示す第１の実施形態について説明する。
図１に示すように、この実施形態の携帯型内視鏡装置は、略長方体形状に形成された装置本体部１にケーブル２を介して手元操作部３が接続され、その手元操作部３に長尺な挿入部４が延設されている。装置本体部１は、バッテリー電源や各種の制御機器を内蔵すると共に、外面にモニター（図示せず。）が取り付けられている。手元操作部３は、内視作業時に作業者によって把持される部分であり、挿入部４の先端側を湾曲操作するためのレバー５や各種の操作ボタン（図示せず。）がガングリップ状の把持部６と共に設けられている。また、挿入部４は、先端部に観察光学系とＬＥＤ等の照明手段が設けられ、先端部を除くほぼ全体が柔軟性を有する材料によって形成されている。
【００１４】
ここで、手元操作部３は、前記把持部６の基端に、図２（Ａ）に示すように切欠き７が設けられ、その切欠き７の内側に連結軸８が渡されている。この連結軸８には、帯状拘束具としてのベルクロ（Ｒ）式のベルト９が取り付けらけられている。
【００１５】
このベルト９は、基端部にリング状の連結紐１０が設けられており、その連結紐１０の環を、図２（Ａ）に示すように連結軸８の裏側に回し込み、表に出た連結紐１０の環にベルト９の本体部を潜らせることによって前記把持部６に取り付けられている。また、ベルト９は基端部が幅広に形成され、その幅広の基端部にはベルト９の一般部幅よりも若干幅の広いスリット１１が形成されている。そして、ベルト９の先端側内面と外側面のほぼ全域には相互に係合可能なベルクロ（Ｒ）式の係合部（符号省略。）が設けられている。
【００１６】
このベルト９によって挿入部４を係止する場合には、まず、装置本体部１に接続された手元操作部３のケーブル２の付根部の近傍に、図２（Ｂ）に示すように前記ベルト９を一度巻き回し、そのベルト９の先端側をベルト９の基端のスリット１１に挿入する。このとき、図３に示すようにベルト９を締め込むことにより、ベルト９の基端がベルト幅をもってケーブル２に安定支持されると共に、ベルト９の先端部側がケーブル２に巻き付いた状態でそのケーブル２の外側に飛び出す。
【００１７】
次に、この状態で挿入部４を複数の環状の束にしてまとめ、図１に示すようにその束の外周側に、ケーブル２の外側から飛び出した前記ベルト９の先端部を巻き回し、ベルト９を充分に締め込んだ状態でベルト９の先端部内面をベルト９の外面側にベルクロ（Ｒ）による係合によって係止させる。
【００１８】
また、手元操作部３と装置本体部１の間には、両者を脱着自在に係止する係止構造、例えば、一方に舌片状の係止フランジ１２（図２（Ａ）参照。）を形成し、他方にその係止フランジ１２が挿入係合される受け溝（図示せず。）を形成した構造等が設けられている。上記のようにベルト９によって束ねられた挿入部４と手元操作部３はこの係止構造によって装置本体部１に係止させることができる。
【００１９】
この携帯型内視鏡装置は、以上のように手元操作部３に取り付けられたベルト９によって挿入部４の環状の束を手元操作部３に簡単に仮固定することができるため、持ち運び時には、挿入部４を束状にコンパクにまとめて手元操作部３と共に把持することができる。したがって、挿入部４をそのまま把持して持ち運んでいた従来方法に比較し、持ち運び時における取り扱いが極めて容易になる。また、挿入部４の束を仮固定した手元操作部３を、係止フランジ１２と受け溝による係合によって装置本体部１に支持させるようにした場合には、装置本体部１を肩掛けベルト１３（図１参照。）等によって身体に装着することにより、作業者の両手を完全に自由にすることができる。
【００２０】
また、挿入部４を束ねる帯状拘束具としてはベルクロ（Ｒ）式のベルト９以外のものを用いることも可能であるが、この実施形態のようにベルクロ（Ｒ）式のベルト９を用いるようにした場合には、挿入部４の束ね状態等に応じて締め込み状態を無段階に調整できるため、挿入部４を確実、かつ容易に係止することができる。
【００２１】
また、この実施形態では、手元操作部３に取り付けた帯状拘束具であるベルト９を、装置本体１側のケーブル２に巻き付けた状態で挿入部４の束に締め込むようにしているため、ベルト９の付根部がそのベルト幅をもってケーブル２に支持され、挿入部４の束のブラ付きがケーブル２によって確実に規制される。したがって、挿入部４の束が手元操作部３に安定状態で支持されることから、持ち運び時における扱いがさらに容易になる。
【００２２】
さらに，この実施形態では、帯状拘束具であるベルト９を手元操作部３のうちの、把持部６の端部に取り付けているが、ベルト９の取付部は、剛性の高い部分であれば、例えば、挿入部４の延出端等であっても良い。ただし、この実施形態のようにベルト９を把持部６の端部に取り付けるようにした場合には、作業者が持ち運び時に把持部６を持ったときのバランスが良くなり、取り扱いがさらに良好になるという利点がある。
【００２３】
つづいて、図３，図４に示すこの発明の第２の実施形態について説明する。
この実施形態の基本構成は第１の実施形態とほぼ同様であるが、帯状拘束具であるベルト１０９が、手元操作部３ではなく装置本体部１に取り付けられている点で大きく異なっている。
【００２４】
ベルト１０９は、第１の実施形態と同様にベルクロ（Ｒ）式のものが用いられているが、その基端部には連結用のフック２０が一体に取り付けられている。そして、装置本体部１の上部コーナには支持軸２１が設けられ、その支持軸２１に前記フック２０が係止されるようになっている。ベルクロ（Ｒ）式のベルト１０９はフック２０を介して装置本体部１に連結され、その状態で束ねた挿入部４を締め込み固定する。
【００２５】
この実施形態の携帯型内視鏡装置は、挿入部４を束ねた状態で装置本体部１に仮固定することができるため、やはり、持ち運び時における取り扱いが良好になる。
【００２６】
また、図５は、この発明の第３の実施形態を示すものである。この実施形態の装置は、第２の実施形態と同様のベルト１０９がウエストバンド３０の係止金具３１に取り付けられ、挿入部４を束ねた状態でウエストバンド３０に支持されるようになっている。この場合も、第２の実施形態と同様の効果を得ることができる。
【００２７】
ここで、上記各実施形態のベルト９，１０９の引張強度は、束ねた挿入部４に負荷が作用したときに挿入部４に劣化が生じる前に破断する強度に設定されている。したがって、持ち運び時に、万が一、束にした挿入部４が周囲の部材に引っ掛かることがあっても、そのときには挿入部４に劣化が生じる前にベルト９，１０９が破断し、それによって挿入部４の拘束が開放される。
【００２８】
尚、この発明の実施形態は以上で説明したものに限るものでなく、例えば、帯状拘束具はベルクロ（Ｒ）式のベルトに限らず、ロック爪を相手孔に係合するタイプのベルトや、挿入部の束を弾性的に締め付け固定するベルト、あるいは、結びによって挿入部の束をまとめる紐状のもの等であっても良い。
【図面の簡単な説明】
【００２９】
【図１】この発明の第１の実施形態の全体構成を示す斜視図。
【図２】同実施形態を示すものであり、取付手順を（Ａ）〜（Ｃ）で順次示した要部の斜視図。
【図３】この発明の第２の実施形態の全体構成を示す斜視図。
【図４】同実施形態を示す要部の斜視図。
【図５】この発明の第３の実施形態の全体構成を示す斜視図。
【符号の説明】
【００３０】
１  装置本体部（身体装着される部材）
２  ケーブル
３  手元操作部（把持される部材）
４  挿入部
９，１０９  ベルト（帯状拘束具）
３０  ウエストバンド（身体装着される部材）
【図１】
2005270468.tif 000003
【図２】
2005270468.tif 000004
【図３】
2005270468.tif 000005
【図４】
2005270468.tif 000006
【図５】
2005270468.tif 000007